(57)【要約】【課題】売上額の確定後を含む任意のタイミングで集金を行うことのできる現金入金装置を得る。【解決手段】釣銭払出ユニット１２０、売上金回収ユニット１１０、及び売上金記憶部１３０を備えた現金入金装置であって、釣銭払出ユニット１２０及び売上金回収ユニット１１０は、ともに売上金を回収可能に構成されており、釣銭払出ユニット１２０は、当該釣銭払出ユニット１２０より売上金が回収された際に、その回収額を売上金記憶部１３０に格納し、売上金回収ユニット１１０は、売上金記憶部１３０に格納されている回収額を通知する通知手段１４０を備えたことを特徴とする。【選択図】図２
2008210333.tif 000002
【特許請求の範囲】
【請求項１】
釣銭払出部、売上金回収部、及び売上記憶部を備えた現金入金装置であって、
前記釣銭払出部は、
売上金を回収可能に構成されており、かつ、
当該釣銭払出部より売上金が回収された際に、その回収額を前記売上記憶部に格納し、
前記売上金回収部は、
前記売上記憶部に格納されている回収額を通知する通知手段を備えた
ことを特徴とする現金入金装置。
【請求項２】
前記売上金回収部は、
当該売上金回収部より回収された売上金を、最終売上額として確定する
ことを特徴とする請求項１に記載の現金入金装置。
【請求項３】
前記通知手段は、
前記売上記憶部に格納されている回収額を前記釣銭払出部に充填すべき旨を通知する
ことを特徴とする請求項１又は請求項２に記載の現金入金装置。
【発明の詳細な説明】
【技術分野】
【０００１】
本発明は、小売店等に設置される現金入金装置に関するものである。
【背景技術】
【０００２】
従来、『小売店の各店舗等に設置された貨幣処理装置に収納された貨幣を利用した売上代金の効率的運用を可能とする売上代金循環システムを提供する。』ことを目的とした技術として、『貨幣処理装置として貨幣入出金装置を小売店の店舗に設置すると共に通信網に接続し、その店舗の売上代金として貨幣入出金装置に入金された貨幣の一部を、金融機関の口座及びキャッシュカード若しくはクレジットカードの所有者に対し出金すると共に、入出金情報を貨幣入出金装置と各種機関の入出金情報処理手段との間で送受信して管理するものである。』というものが提案されている（特許文献１）。
【０００３】
コンビニエンスストア等の小売店に設置される現金入金装置は、その小売店の売上金を当該装置に入金し、集配員が定期的に巡回して売上金を回収する、という用途で用いられている。
また、単に売上金を入金するための用途のみならず、上記特許文献１のように顧客向けの機能を追加したものや、釣銭払出ユニットを備えたものなど、種々の用途で用いられる場合もある。
【０００４】
【特許文献１】特開２０００−１３７８６９号公報（要約）
【発明の開示】
【発明が解決しようとする課題】
【０００５】
集配員が売上金を回収するための巡回は、一定のスケジュールに従って行われるのが通常である。これは、売上額の確定後に集金を行う必要があるためである。したがって、集配員による集金タイミングには一定の制約が課せられていることになる。
一方で、かかるスケジュール等の制約を排除し、任意のタイミングで集金を行いたいと言う要求も存在する。
そのため、売上額の確定後を含む任意のタイミングで集金を行うことのできる現金入金装置が望まれていた。
【課題を解決するための手段】
【０００６】
本発明に係る現金入金装置は、
釣銭払出部、売上金回収部、及び売上記憶部を備えた現金入金装置であって、
前記釣銭払出部は、
売上金を回収可能に構成されており、かつ、
当該釣銭払出部より売上金が回収された際に、その回収額を前記売上記憶部に格納し、
前記売上金回収部は、
前記売上記憶部に格納されている回収額を通知する通知手段を備えた
ことを特徴とするものである。
【発明の効果】
【０００７】
本発明に係る現金入金装置は、釣銭払出部と売上金回収部の双方から売上金を回収でき、釣銭払出部から回収した際にはその額を記憶手段に一時記憶し、売上金回収部から売上金を回収する際にその額を通知する。
したがって、売上額確定前であっても、任意のタイミングで釣銭払出部から売上金を仮回収できるとともに、売上金回収部から最終確定売上金を回収する際には、先に釣銭払出部から仮回収した額を通知するので、最終確定売上額が矛盾することもない。
【発明を実施するための最良の形態】
【０００８】
図１は、本実施の形態に係る現金入金装置１００の機能ブロック図である。
現金入金装置１００は、売上金回収ユニット１１０、釣銭払出ユニット１２０、売上金記憶手段１３０、通知手段１４０を備える。
【０００９】
売上金回収ユニット１１０は、集配員が売上金を回収するための機能部である。現金を蓄積する機能を備えており、集配員は売上金回収ユニット１１０に蓄積された現金を売上金として回収する。
釣銭払出ユニット１２０は、設置場所の小売店の販売員等に、顧客向けの釣銭を払い出すための機能部である。売上金回収ユニット１１０と同様に、現金を蓄積する機能を備えており、蓄積している現金の一部を釣銭として払い出す。釣銭の補充は集配員が行う。
売上金記憶手段１３０は、釣銭払出ユニット１２０から仮回収された売上金額を記憶するための装置である。詳細は後述の図２で説明する。
通知手段１４０は、売上金記憶手段１３０に記憶されている仮回収額を、画面表示等の方法により通知する。詳細は後述の図２で説明する。
【００１０】
ここで、本発明の理解を容易にするため、現金入金装置１００の動作説明の前に、従来の現金入金装置の動作について説明する。
【００１１】
図３は、従来の現金入金装置の動作フローである。従来の現金入金装置は、売上金回収ユニットと釣銭払出ユニットのみを備えている。以下、各ステップについて説明する。なお、理解を容易にするため、具体的な金額を仮設定して説明する。
【００１２】
（１）釣銭充填
集配員は、釣銭払出ユニットに釣銭１０，０００円をを充填する。充填により、釣銭払出ユニットには現金１０，０００円が格納される。
なお、この時点では売上金回収ユニットは空であるとする。
（２）釣銭払出
販売員は、釣銭払出ユニットより釣銭１，０００円の払出しを受ける。払出しにより、釣銭払出ユニットには現金９，０００円が残り、販売員には現金１，０００円が渡る。
【００１３】
（３）支払
顧客が６８０円の商品を購入したと仮定する。顧客は１，０００円を販売員に支払う。
（４）釣銭
販売員は、釣銭３２０円を顧客に渡す。販売員の手元には、１，６８０円が残る。
【００１４】
（５）釣銭戻し
販売員は、１日の営業終了後などの売上げ確定時に、釣銭払出ユニットに釣銭１，０００円を戻す。この時点で、釣銭払出ユニットには釣銭１０，０００円が格納されている。
（６）売上入金
販売員は、ステップ（５）と同時に、売上金回収ユニットに確定売上金を入金する。ここでは６８０円を入金する。売上金の入金により、売上金回収ユニットには６８０円が格納される。
【００１５】
（７）売上回収
集配員は、定期的なスケジュールに従って、売上金回収ユニットより売上金６８０円を回収する。
【００１６】
販売員は、通常の営業活動はレジスタ等の端末で行い、１日の営業終了後などの売上げ確定時に、ステップ（６）の売上入金を行う。即ち、従来の現金入金装置を用いた場合、集配員による売上回収は、販売員がレジスタ等を用いて行う営業活動が終了した後となる。
【００１７】
図２は、本実施の形態に係る現金入金装置１００の動作フローである。以下、各ステップについて説明する。図３と同様に、理解を容易にするため、具体的な金額を仮設定して説明する。なお、記載の都合上、売上金記憶手段１３０と通知手段１４０は図示を省略する。
【００１８】
（１）釣銭充填〜（６）売上入金
図３のステップ（１）〜（６）と同様であるため、説明を省略する。
（７）売上仮回収
集配員は、１日の営業終了後などの売上げ確定前の任意のタイミングで、売上金を回収する。ここでは、売上げ確定後の売上金回収と区別するため、仮回収と呼ぶ。仮回収の金額は任意でよいが、ここでは実際の売上額６８０円を仮回収するものとする。
なお、仮回収時の売上金は、売上金回収ユニット１１０からではなく、釣銭払出ユニット１２０から回収される。この時点で、売上金回収ユニットには釣銭９，３２０円が格納されている。この時、売上金記憶手段１３０に、仮回収金額６８０円が記憶される。
【００１９】
（８）釣銭払出
販売員は、釣銭払出ユニット１２０より釣銭１，０００円の払出しを受ける。払出しにより、釣銭払出ユニット１２０には現金８，３２０円が残り、販売員には現金１，０００円が渡る。
【００２０】
（９）支払
顧客が３１０円の商品を購入したと仮定する。顧客は５００円を販売員に支払う。
（１０）釣銭
販売員は、釣銭１９０円を顧客に渡す。販売員の手元には、１，３１０円が残る。
【００２１】
（１１）釣銭戻し
販売員は、１日の営業終了後などの売上げ確定時に、釣銭払出ユニット１２０に釣銭１，０００円を戻す。この時点で、釣銭払出ユニット１２０には釣銭９，３２０円が格納されている。
（１２）売上入金
販売員は、ステップ（１１）と同時に、売上金回収ユニット１１０に売上金３１０円を入金する。売上金の入金により、売上金回収ユニット１１０には３１０円が追加格納され、合計額は９９０円となる。
【００２２】
（１３）売上回収
集配員は、定期的なスケジュールに従って、売上金回収ユニット１１０より売上金９９０円を回収する。このとき、通知手段１４０は、売上金記憶手段１３０に記録されている仮回収金額６８０円を集配員に通知する。
（１４）釣銭補充
集配員は、通知手段１４０より通知された金額６８０円を、釣銭払出ユニット１２０に充填する。
【００２３】
以上の処理により、集配員は、１日の売上げ確定前の任意のタイミングで売上金を仮回収することができる。
また、売上金回収ユニット１１０より最終売上９９０円を回収する際に、通知手段１４０より先の仮回収額６８０円を通知し、仮回収金６８０円を釣銭として充填することを集配員に促すので、集配員が最終的に回収する金額は、実際の売上額９９０円と等しくなる。
【００２４】
なお、現金入金装置１００自体が売上金の管理機能を備え、通信回線等によりセンタ装置へ確定売上金額を報告する機能を備えているような場合もある。
この場合には、釣銭払出ユニット１２０から回収された仮売上金６８０円ではなく、売上金回収ユニット１１０から回収された売上金９９０円のみを、最終確定売上金としてセンタ装置へ報告するように構成すればよい。
これにより、集配員が回収した額と、センタ装置への報告額とが、必ず一致する。
【００２５】
なお、以上の説明において、小売店等に現金入金装置１００を設置し、「集配員」「販売員」により操作されることを説明したが、使用態様はこれらに限られるものではなく、任意の態様が考えられる。
【００２６】
また、通知手段１４０の通知手法は、集配員が確実に仮回収額を知ることのできるものであれば、任意の手法を用いることができる。ＬＥＤ等による数値表示が最も一般的であると思われるが、これに限る必要はない。
【００２７】
また、図２において、集配員による仮回収は１回分のみ記載したが、仮回収額は売上金記憶手段１３０に記録されるので、任意の回数でよい。
【００２８】
以上のように、本実施の形態に係る現金入金装置１００によれば、集配員は１日の営業終了後などの売上げ確定前の任意のタイミングで、売上金を仮回収することができる。
また、仮回収額を売上金記憶手段１３０に記憶しておき、売上金回収ユニット１１０から確定売上金を回収する際に、先の仮回収額を集配員に通知し、仮回収金を釣銭として充填することを集配員に促すので、集配員が最終的に回収する金額は、実際の売上額と等しくなり、仮回収による集計上の矛盾が生じることもない。
【図面の簡単な説明】
【００２９】
【図１】現金入金装置１００の機能ブロック図である。
【図２】現金入金装置１００の動作フローである。
【図３】従来の現金入金装置の動作フローである。
【符号の説明】
【００３０】
１００  現金入金装置、１１０  売上金回収ユニット、１２０  釣銭払出ユニット、１３０  売上金記憶手段、１４０  通知手段。
【図１】
2008210333.tif 000003
【図２】
2008210333.tif 000004
【図３】
2008210333.tif 000005